(57)【要約】【課題】消防自動車などへの取付位置、装着位置に自由度を持たせることができ、吸水管を容易に螺旋状に整列させて巻き取ることができるとともに、吸水管を滑らないように作業性よく整列させて巻き取ることのできる吸水管巻取装置を提供する。【解決手段】リール１１の外周に吸水管を巻き取る吸水管巻取装置Ｒにおいて、リール１１を、リール本体１３の外周にゴム円筒体１４を取り付けた構成とし、ゴム円筒体１４の外周に、吸水管の一部を収容する収容溝１４ｄを螺旋状に周回させて設ける。【選択図】図１
2009286619.tif 000002
【特許請求の範囲】
【請求項１】
リールの外周に吸水管を巻き取る吸水管巻取装置において、
前記リールを、リール本体の外周にゴム円筒体を取り付けた構成とし、
前記ゴム円筒体の外周に、前記吸水管の一部を収容する収容溝を螺旋状に周回させて設けた、
ことを特徴とする吸水管巻取装置。
【発明の詳細な説明】
【技術分野】
【０００１】
この発明は、例えば、消防自動車が自然水利などの水源から取水するために使用する吸水管を巻き取り、収容する吸水管巻取装置に関するものである。
【背景技術】
【０００２】
消防自動車で消火活動を行う場合、一般的に、自然水利などの水源から吸水管を使用して水を吸い上げ、吸い上げた水をポンプで加圧した後、消火ホースの先端に接続された放水ノズル（管鎗）から延焼個所などへ向けて水を放出する。
【０００３】
上記した吸水管は、防災要員が巻き取って収容する負担を軽減するため、リールの外周に吸水管を重ね巻き式で巻き取る吸水管巻取装置を利用している（例えば、特許文献１、特許文献２、特許文献３参照。）。
【０００４】
【特許文献１】特許第３９２７１６４号公報
【特許文献２】実用新案登録第２５３６８５０号公報
【特許文献３】実用新案登録第２５２３０７９号公報
【発明の開示】
【発明が解決しようとする課題】
【０００５】
従来の吸水管巻取装置は、リールの外周に吸水管を重ね巻き式で巻き取るので、外径（高さ）が大きくなることにより、消防自動車への取付位置、装着位置が制約（限定）される。
【０００６】
この発明は、上記したような不都合を解消するためになされたもので、消防自動車などへの取付位置、装着位置に自由度を持たせることができ、吸水管を容易に螺旋状に整列させて巻き取ることができるとともに、吸水管を滑らないように作業性よく整列させて巻き取ることのできる吸水管巻取装置を提供するものである。
【課題を解決するための手段】
【０００７】
この発明は、リールの外周に吸水管を巻き取る吸水管巻取装置において、前記リールを、リール本体の外周にゴム円筒体を取り付けた構成とし、前記ゴム円筒体の外周に、前記吸水管の一部を収容する収容溝を螺旋状に周回させて設けたことを特徴とする。
【発明の効果】
【０００８】
この発明の吸水管巻取装置によれば、リールの外周に吸水管を螺旋状（一重）に巻き取るので、巻き取った状態における吸水管の外径（高さ）を小さくすることができる。
したがって、吸水管巻取装置の外径（高さ）を小さくすることができることにより、消防自動車などへの吸水管巻取装置の取付位置、装着位置に自由度を持たせることができる。
また、ゴム円筒体の外周に、吸水管の一部を収容する収容溝を螺旋状に周回させて設けたので、収容溝に沿って吸水管を容易に螺旋状に整列させて巻き取ることができるとともに、吸水管を滑らないように作業性よく整列させて巻き取ることができる。
【発明を実施するための最良の形態】
【０００９】
以下、この発明の実施例を図に基づいて説明する。
【００１０】
図１はこの発明の一実施例である吸水管巻取装置の正面図、図２は図１に示した吸水管巻取装置の左側面図、図３は図１に示したゴム円筒体の拡大断面図、図４は吸水管を巻き取った状態の吸水管巻取装置の正面図、図５は吸水管を巻き取った状態の吸水管巻取装置の左側面図である。
【００１１】
この発明の吸水管巻取装置Ｒは、図１または図２に示すように、吸水管を周囲に巻き取るリール１１と、このリール１１を回転可能に支持する支持フレーム２１と、この支持フレーム２１に取り付けられ、リール１１を構成する回転軸１２の水路１２ｃに接続されたスイベルジョイント３１とで構成されている。
【００１２】
上記したリール１１は、図１において左端が開放した水路１２ｃが内部に設けられた回転軸１２と、この回転軸１２の外周に取り付けられた円筒体形状のリール本体１３と、このリール本体１３の外周に取り付けられたゴム円筒体１４と、回転軸１２の水路１２ｃに連通するように一端が回転軸１２に水密に取り付けられてゴム円筒体１４の外側（外周）へ突出した後、ゴム円筒体１４の吸水管を巻き取る下流側へ沿うように他端部が折り曲がった水管１５とで構成されている。
そして、リール本体１３には、水管１５が取り付けられた部分から吸水管を巻き取る下流側へ向かう一部分に切欠部１３ｍが設けられるとともに、図１において左右端に、吸水管が食み出さないように縁１３ｅがそれぞれ設けられている。
そして、ゴム円筒体１４には、外周に吸水管の一部を収容する収容溝１４ｄが螺旋状に周回させて設けられている（図３をも参照）。
なお、ゴム円筒体１４は、リール本体１３の切欠部１３ｍに対応する部分が切り欠かれている。
そして、水管１５の一端には、吸水管の接続部を接続する接続部１５ｃが設けられている。
【００１３】
上記した支持フレーム２１は、左、右側支持枠２２Ｌ，２２Ｒと、この左、右側支持枠２２Ｌ，２２Ｒの間の上下に配置される上、下側ガイドローラ２３Ｕ，２３Ｄと、この上、下側ガイドローラ２３Ｕ，２３Ｄを回転可能に支持し、左、右側支持枠２２Ｌ，２２Ｒを貫通するとともに、左、右側支持枠２２Ｌ，２２Ｒに対してリール１１の半径方向へ所定の範囲で移動可能な支軸２４と、左、右側支持枠２２Ｌ，２２Ｒを貫通した支軸２４の部分にそれぞれ取り付けられた連結部材２５と、各連結部材２５と対向するように左、右側支持枠２２Ｌ，２２Ｒの外側面に取り付けら（固定さ）れた取付部材２６と、この取付部材２６と連結部材２５とを移動可能に接続するボルト、ナットなどからなる接続部材２７と、連結部材２５と取付部材２６との間の接続部材２７の周囲に配置され、各支軸２４（左、右側支持枠２２Ｌ，２２Ｒ）をリール１１の回転軸１２側へ付勢するコイルスプリングなどの付勢部材２８とで構成されている。
そして、リール１１の回転軸１２は、左、右側支持枠２２Ｌ，２２Ｒに取り付けたベアリングなどの軸受け２９によって回転可能に支持されている。
【００１４】
上記したスイベルジョイント３１は、支持フレーム２１の左側支持枠２２Ｌから突出したリール１１の回転軸１２に設けられた水路１２ｃに連通するように回転軸１２に接続された状態で、固定部材３２で左側支持枠２２Ｌの左（外）側面に固定されている。
【００１５】
図５において、吸水管Ｔには、吸水管巻取装置Ｒの接続部１５ｃに接続される接続部ｃが一端に設けられている。
【００１６】
この吸水管巻取装置Ｒは、吸水管Ｔの長さを１０ｍ、吸水管Ｔの外径を９０ｍｍとした場合、左右幅を９５０ｍｍ、高さを９５０ｍｍ、奥行きを８１０ｍｍ、左、右側支持枠２２Ｌ，２２Ｒの間隔を６５０ｍｍの大きさとすることができた。
【００１７】
次に、吸水管Ｔの巻取、繰り出しについて説明する。
まず、吸水管Ｔを巻き取る場合、図２において、下側ガイドローラ２３Ｄを付勢部材２８の付勢力に抗して下側へ移動させ、下側ガイドローラ２３Ｄとゴム円筒体１４との間に右側から左側へ吸水管Ｔを接続部ｃ側から挿入する。
そして、吸水管Ｔの接続部ｃを水管１５の接続部１５ｃに接続するとともに、吸水管Ｔをゴム円筒体１４の収容溝１４ｄに沿わせる。
このようにして吸水管Ｔの接続部ｃを水管１５の接続部１５ｃに接続すると、下側ガイドローラ２３Ｄは付勢部材２８の付勢力により、吸水管Ｔに下側から接して吸水管Ｔを押さえ付ける。
【００１８】
さらに、図２において、リール１１を時計方向へ回転させることにより、吸水管Ｔは下側ガイドローラ２３Ｄで案内され、図４および図５に示すように、ゴム円筒体１４の収容溝１４ｄに沿って吸水管Ｔを容易に螺旋状に整列させて巻き取ることができる。
このようにして吸水管Ｔを巻き取ると、上側ガイドローラ２３Ｕは付勢部材２８の付勢力により、吸水管Ｔに上側から接して上下動しながら吸水管Ｔを押さえ付け、下側ガイドローラ２３Ｄは付勢部材２８の付勢力により、吸水管Ｔに下側から接して上下動しながら吸水管Ｔを押さえ付ける。
【００１９】
次に、吸水管Ｔを吸水管巻取装置Ｒから繰り出す場合、図５において、吸水管Ｔの他端を把持して引き出すことにより、リール１１が回転するので、吸水管Ｔを吸水管巻取装置Ｒから容易に繰り出すことができる。
このようにして吸水管Ｔを繰り出すときも、上側ガイドローラ２３Ｕは付勢部材２８の付勢力により、吸水管Ｔに上側から接して上下動しながら吸水管Ｔを押さえ付け、下側ガイドローラ２３Ｄは付勢部材２８の付勢力により、吸水管Ｔに下側から接して上下動しながら吸水管Ｔを押さえ付ける。
【００２０】
上述したように、この発明の一実施例によれば、リール１１の外周に吸水管Ｔを螺旋状（一重）に巻き取るので、巻き取った状態における吸水管Ｔの外径（高さ）を小さくすることができる。
したがって、吸水管巻取装置Ｒの外径（高さ）を小さくすることができることにより、消防自動車などへの吸水管巻取装置Ｒの取付位置、装着位置に自由度を持たせることができる。
また、ゴム円筒体１４の外周に、吸水管Ｔの一部を収容する収容溝１４ｄを螺旋状に周回させて設けたので、収容溝１４ｄに沿って吸水管Ｔを容易に螺旋状に整列させて巻き取ることができるとともに、吸水管Ｔを滑らないように作業性よく整列させて巻き取ることができる。
【図面の簡単な説明】
【００２１】
【図１】この発明の一実施例である吸水管巻取装置の正面図である。
【図２】図１に示した吸水管巻取装置の左側面図である。
【図３】図１に示したゴム円筒体の拡大断面図である。
【図４】吸水管を巻き取った状態の吸水管巻取装置の正面図である。
【図５】吸水管を巻き取った状態の吸水管巻取装置の左側面図である。
【符号の説明】
【００２２】
Ｒ      吸水管巻取装置
１１    リール
１２    回転軸
１２ｃ  水路
１３    リール本体
１３ｍ  切欠部
１３ｅ  縁
１４    ゴム円筒体
１４ｄ  収容溝
１５    水管
１５ｃ  接続部
２１    支持フレーム
２２Ｌ  左側支持枠
２２Ｒ  右側支持枠
２３Ｕ  上側ガイドローラ
２３Ｄ  下側ガイドローラ
２４    支軸
２５    連結部材
２６    取付部材
２７    接続部材
２８    付勢部材
２９    軸受け
３１    スイベルジョイント
３２    固定部材
Ｔ      吸水管
ｃ      接続部
【図１】
2009286619.tif 000003
【図２】
2009286619.tif 000004
【図３】
2009286619.tif 000005
【図４】
2009286619.tif 000006
【図５】
2009286619.tif 000007